【手続補正書】
【提出日】平成16年9月7日(2004.9.7)
【手続補正１】
【補正対象書類名】特許請求の範囲
【補正対象項目名】全文
【補正方法】変更
【補正の内容】
【特許請求の範囲】
【請求項１】
少なくとも１の熱可塑性ポリマーをベースとするマトリックスＭ、及び流動性挙動改良のための、少なくとも１の超分岐(hyperbranched)ポリマー添加剤を含有する熱可塑性ポリマー組成物であり；
上記超分岐ポリマー添加剤は、機能性化され、多分岐化された少なくとも１の（超分岐）ポリマーを含有し；
上記超分岐ポリマーの末端基の少なくとも５０％がＲ2により機能性化され、
Ｒ2は置換又は非置換の、１以上の不飽和結合及び／又は１以上のヘテロ原子を含有してもよい、シリコーンの炭化水素系基、直鎖状又は分岐状アルキル、芳香族、アリールアルキル、アルキルアリール又は環状脂肪族系の基である；
熱可塑性ポリマー組成物。
【請求項２】
上記超分岐ポリマーはポリエステル、ポリエステルアミド及びポリアミドから選ばれる請求項１の組成物。
【請求項３】
上記超分岐ポリマー添加剤は、下記モノマー間の反応で得られる種類の超分岐コポリアミドの少なくとも１を含有する超分岐ポリアミドである請求項１又は２記載の組成物：
・少なくとも１の下式（Ｉ）のモノマー；
（Ｉ）Ａ−Ｒ−Ｂf
（但し、Ａは第１の種類の重合反応性基であり、ＢはＡと反応可能な第２の種類の重合反応性基であり、Ｒは任意でヘテロ原子を含有する炭化水素系化合物種であり、ｆはモノマー当りの反応性基Ｂの合計数であり、ｆ≧２である。）；
・任意で少なくとも１の下式（ＩＩ）の２官能性スペーサモノマー：
（ＩＩ）Ａ’−Ｒ’−Ｂ’又は対応するラクタム
（但し、Ａ’、Ｂ’及びＲ’は上記式（Ｉ）のＡ、Ｂ及びＲとそれぞれ同意である。）；
・任意で少なくとも１の式（ＩＩＩ）の「コア」モノマー；
（ＩＩＩ）Ｒ1（Ｂ”）n
（但し、Ｒ1は、置換又は非置換の、不飽和結合及び／又はヘテロ原子を含有してもよい、シリコーンの炭化水素系基、直鎖状又は分岐状アルキル、芳香族、アルキルアリール、アリールアルキル又は環状脂肪族系の基であり、Ｂ”はＢ又はＢ’と同じ性質を有する反応性基であり；ｎ≧１である。）；並びに
・少なくとも１の式（ＩＶ）に対応する「鎖制御（分子量調節）」機能性モノマー；
（ＩＶ）Ｒ2−Ａ”
（但し、Ａ”はＡ又はＡ’と同じ性質を有する反応性基である。）。
【請求項４】
超分岐ポリマーを補充されていない同一のマトリックスＭを含むコントロール組成物を基準として、補充によりマトリックスＭの分子量が７％以上の減少を示す超分岐ポリマー添加剤を含有しない（但し、分子量の測定は所定の手順Ｐに従い行なわれる）請求項１〜３いずれか１項記載の組成物。
【請求項５】
分子量測定が、押出され、固形化され、顆粒状に成形された、分析用組成物及びコントロール組成物に対して行なわれる請求項４記載の組成物。
【請求項６】
分子量測定が、押出され、固形化され、顆粒状に成形された、分析用組成物及びコントロール組成物に対して行なわれ、次にそれらのフローインデックス定量分析のための所定の試験Ｑfusionが行なわれる請求項４記載の組成物。
【請求項７】
超分岐ポリマー添加剤を構成する超分岐コポリアミド中の：
モノマー（Ｉ）及び（ＩＩ）の炭化水素系種Ｒ及びＲ’それぞれは共に下記を含有し：
（ｉ）少なくとも１の直鎖状又は分岐状脂肪族基；
（ｉｉ）及び／又は少なくとも１の環状脂肪族基；
（ｉｉｉ）及び／又は少なくとも１の１以上の芳香族核を有する芳香族基；
（ｉｖ）及び／又は少なくとも１のアリール脂肪族基；
（但し、これらの基（ｉ）、（ｉｉ）、（ｉｉｉ）及び（ｉｖ）はヘテロ原子により置換されてもよく、及び／又は含有していてもよい。）；
Ａ又はＡ’はアミン又はアミン塩型反応性基、又は酸、エステル、酸ハライド、若しくはアミド型反応性基であり；
Ｂ又はＢ’は酸、エステル、酸ハライド、若しくはアミド型反応性基、又はアミン若しくはアミン塩型反応性基である請求項３記載の組成物。
【請求項８】
超分岐コポリアミドの重合反応性基Ａ、Ｂ、Ａ’及びＢ’はカルボキシル基及びアミン基の群から選ばれる請求項３記載の組成物。
【請求項９】
超分岐コポリアミド（ＨＢＰＡ）は下記定義される（ＩＩＩ）／（Ｉ＋ＩＩ＋ＩＶ）モル比でモノマー（ＩＩＩ）を含有する請求項３〜８いずれか１項記載の組成物：
（ＩＩＩ）／（Ｉ＋ＩＩ＋ＩＶ）≦１／１５０。
【請求項１０】
超分岐コポリアミド（ＨＢＰＡ）の式（Ｉ）のモノマーは、Ａはアミン基を表し、Ｂはカルボキシル基を表し、Ｒは芳香族基を表し、ｆ＝２である化合物である請求項３〜９いずれか１項記載の組成物。
【請求項１１】
超分岐コポリアミド（ＨＢＰＡ）において：
モノマー（Ｉ）は：５−アミノ−イソフタル酸、６−アミノ−ウンデカンジカルボン酸、３−アミノピメリン（ジカルボン）酸、アスパラギン酸、３，５−ジアミノ安息香酸、３，４−ジアミノ安息香酸、及びそれらの混合物の群から選ばれ；
式（ＩＩ）で表される２官能性モノマーは：ε−カプロラクタム及び／又は対応するアミノ酸；アミノカプロン酸、パラ−又はメタ−アミノ安息香酸、１１−アミノ−ウンデカン（ジカルボン）酸、ラウリルラクタム及び／又は対応するアミノ酸、１２−アミノドデカン（ジカルボン）酸、及びそれらの混合物の群から選ばれ；
「コア」モノマー（ＩＩＩ）は：１，３，５−ベンゼントリカルボン酸、２，２，６，６−テトラ（β−カルボキシエチル）シクロヘキサノン、２，４，６−トリ（アミノカプロン酸）−１，３，５−トリアジン、４−アミノエチル−１，８−オクタンジアミン、及びそれらの混合物の群から選ばれ；
「鎖制御」機能性モノマー（ＩＶ）は：ｎ−ヘキサデシルアミン、ｎ−オクタデシルアミン、ｎ−ドデシルアミン、ベンジルアミン、及びそれらの混合物の群から選ばれる；
請求項３〜１０いずれか１項記載の組成物。
【請求項１２】
マトリックスを構成する熱可塑性（コ）ポリマーは：
ポリオレフィン、ポリエステル、ポリアルキレンオキシド、ポリオキシアルキレン、ポリハロゲノアルキレン、ポリ（アルキレンフタレート又はテレフタレート）、ポリ（フェニル又はフェニレン）、ポリ（フェニレンオキシド又はスルフィド）、ポリビニルアセテート、ポリビニルアルコール、ポリビニルハライド、ポリビニリデンハライド、ポリビニルニトリル、ポリアミド、ポリイミド、ポリカーボネート、ポリシロキサン、アクリル酸ポリマー又はメタクリル酸ポリマー、ポリアクリレート又はポリメタクリレート、天然ポリマー（即ちセルロース及びその誘導体）、合成エラストマー等の合成ポリマー、又は上記ポリマーに含まれるいずれかのモノマーと同一である少なくとも１のモノマーを含む熱可塑性コポリマー、並びに上記（コ）ポリマーのブレンド及び／又はアロイの群から選ばれる請求項１〜１１いずれか１項記載の組成物。
【請求項１３】
熱可塑性ポリマーは：ナイロン６、ナイロン６−６、ナイロン４、ナイロン１１、ナイロン１２、ポリアミド４−６、６−１０、６−１２、６−３６及び１２−１２、並びにそれらのコポリマー及びブレンドを含む（コ）ポリアミドの群から選ばれる請求項１２記載の組成物。
【請求項１４】
熱可塑性ポリマーが、２５℃で、０．０１ｇ／ｍｌの濃度で、９６％硫酸溶液中で測定された相対粘度が３．５を超えるポリアミド６である請求項１３記載の組成物。
【請求項１５】
熱可塑性ポリマーがポリアミド６−６である請求項１３記載の組成物。
【請求項１６】
超分岐コポリマーを含有する添加剤は、０．１〜５０の割合（組成物の合計量を基準とする乾燥重量％で表す。）で存在する請求項１〜１５いずれか１項記載の組成物。
【請求項１７】
添加剤は酸又はアミン末端基（ＥＧ）（ｍｅｑ／ｋｇで表す。）の含有量が０〜２５である超分岐コポリマーを含有する請求項３〜１６いずれか１項記載の組成物。
【請求項１８】
基Ｒ2は超分岐ポリマー内で同一種である請求項１〜１７いずれか１項記載の組成物。
【請求項１９】
ガラス繊維等の繊維質充填剤、鉱物性充填剤又は熱硬化性材料からなる充填剤、及びタルク等の粉末状充填剤の群から選ばれた少なくとも一種の強化用充填剤及び／又は増量用充填剤を含む請求項１〜１８いずれか１項記載の組成物。
【請求項２０】
請求項１〜１９いずれか１項記載の組成物を、成形、押出又は紡績して得られる製品。
【請求項２１】
請求項１〜１９いずれか１項記載の組成物をモールディング成形して得られる請求項２０記載の製品。
【請求項２２】
ヤーン、ファイバー、フィルム又はフィラメントである請求項２０記載の製品。
【請求項２３】
請求項１〜１９記載の機能性化超分岐ポリマーを溶融マトリックスＭとブレンドする、少なくとも１の熱可塑性ポリマーをベースとするマトリックスＭの流動性挙動改良方法。